(57)【要約】【課題】玄関先などに降り積もり、踏み固められて圧雪やアイスバーンとなった氷雪を、割り砕いて取り除くための氷雪割り具に関し、直線状刃先が傷んだり磨耗した場合に簡単に刃先を交換できる。【解決手段】保持柄１１と、保持柄１１の一端に取り付けた刃先固定板１４と、刃先固定板１４に固定される直線状刃先１２ａを有する氷雪割り刃１２とからなる氷雪割り具１０において、氷雪割り刃１２を刃先固定板１４に着脱可能に固定した。【選択図】図３
0003103154.tif 000002
【実用新案登録請求の範囲】
【請求項１】
保持柄と、保持柄の一端に取り付けた刃先固定板と、刃先固定板に固定される直線状刃先を有する氷雪割り刃とからなる氷雪割り具において、氷雪割り刃を刃先固定板に着脱可能に固定した氷雪割り具の氷雪割り刃。
【請求項２】
氷雪割り刃に直線状刃先を複数設け、氷雪割り刃を刃先固定板に所定角度回転させて取り付けることにより、使用する直線状刃先を選択して変更可能とした請求項１記載の氷雪割り具の氷雪割り刃。
【考案の詳細な説明】
【技術分野】
【０００１】
本考案は、玄関先などに降り積もり、踏み固められて圧雪やアイスバーンとなった氷雪を、割り砕いて取り除くための氷雪割り具に関する。
【背景技術】
【０００２】
積雪地帯では、玄関先や歩道，屋外駐車場などの通路に冬季間に降り積もった雪が足や車に踏み固められ、圧雪やアイスバーンとなった氷雪は春先まで残り、通路に残っているとその氷雪に足をとられ危険なため、割り砕いて取り除くことが行われる。
【０００３】
従来、一般的に行われている氷雪を割り砕く作業には「つるはし」（ピッケル）が使用されている。「つるはし」はその重さを利用して打ち下ろし、氷雪を打ち砕くものであるが、「つるはし」の先端が氷雪で滑って足先に向かってきたり、打ち砕かれた氷雪片が四方に飛び散ったり、危険を伴う作業である。
【０００４】
さらに、「つるはし」は重いので、非力な婦女子や老人にはそれを使用して作業することすら不可能である。しかし、一般家庭ではそのような人が日中に家にいることが多く、そのような非力な人でも、安全に氷雪を割り砕く作業ができる道具が要望されている。
【０００５】
このような、非力な人でも安全に氷雪を割り砕く作業ができる道具として、本考案の出願人が実用新案登録第３０９７２４５号にて提案したように、両端部が互いに反対方向に曲がった管状の保持柄と、保持柄の一端に挿入され着脱可能に固定される針状刃先固定棒と、針状刃先固定棒に挿入され着脱可能に固定される一本の針状刃先とからなる氷雪割り具が知られている。
【０００６】
この氷雪割り具は、図５に示すようなもので、尖った一本の円錐形状の先端部を路面と氷雪の間にほぼ水平に挿入することで、非力な婦女子や老人でも安全に作業ができるものである。また、針状刃先を前後させるだけで、能率よく作業ができる。
【０００７】
また、実公昭６０−２９４６２号に示されるように、管状の保持柄と、保持柄の一端に取り付けた直線状刃先を有する氷雪割り刃とからなる氷雪割り具は知られている。
【０００８】
この氷雪割り具は、保持柄を垂直とし、保持柄内に突棒を出入自在に挿入したもので、突棒を引き上げ落下させることにより、その衝撃で直線状刃先を有する氷雪割り刃で氷雪を割り砕くものである。
【特許文献１】実用新案登録第３０９７２４５号
【特許文献２】実公昭６０−２９４６２号
【考案の開示】
【考案が解決しようとする課題】
【０００９】
上記の実用新案登録第３０９７２４５号に示される氷雪割り具は、図５に示すように、氷雪割り具２０の尖った一本の円錐形状の針状刃先２２を氷雪２の間にほぼ水平に挿入することで割り砕くものであるが、氷雪２が路面１と強固に粘着していると、氷雪２が筋状に路面１に残ってしまう。わずかに筋状に残った氷雪２を一本の円錐形状の針状刃先２２で綺麗に取り除こうとすると、少しずつしか割り砕けず、非常に能率の悪いものとなってしまう。
【００１０】
そのため、わずかに筋状に残った氷雪２を、実公昭６０−２９４６２号に示されるような直線状刃先を有する氷雪割り刃を用い、氷雪割り刃を倒して路面１上に直線状刃先を接したまま滑走させることにより、能率よく取り除くことが考えられる。
【００１１】
実験の結果、わずかに筋状に残った氷雪２を能率よく取り除くことができたが、路面１上に直線状刃先を接したまま滑走させるので、路面１上の凹凸や異物により、直線状刃先の傷みや磨耗が激しかった。
【００１２】
そこで本考案では、直線状刃先が傷んだり磨耗した場合に簡単に刃先を交換できる、氷雪割り具の氷雪割り刃を提供する事を目的とする。
【課題を解決するための手段】
【００１３】
請求項１の考案における氷雪割り具の氷雪割り刃は、保持柄１１と、保持柄１１の一端に取り付けた刃先固定板１４と、刃先固定板１４に固定される直線状刃先１２ａを有する氷雪割り刃１２とからなる氷雪割り具１０において、氷雪割り刃１２を刃先固定板１４に着脱可能に固定したものである。
【００１４】
請求項２の考案における氷雪割り具の氷雪割り刃は、氷雪割り刃１２に直線状刃先１２ａを複数設け、氷雪割り刃１２を刃先固定板１４に所定角度回転させて取り付けることにより、使用する直線状刃先１２ａを選択して変更可能としたものである。
【考案の効果】
【００１５】
請求項１の考案によれば、氷雪割り刃１２を刃先固定板１４に着脱可能に固定したから、直線状刃先１２ａが傷んだり磨耗した場合に、簡単に新しい氷雪割り刃１２と交換でき、氷雪割り具１０全体を新しくする必要が無い。
【００１６】
請求項２の考案によれば、氷雪割り刃１２に直線状刃先１２ａを複数設け、氷雪割り刃１２を刃先固定板１４に所定角度回転させて取り付けることにより、使用する直線状刃先１２ａを選択して変更可能としたから、複数の直線状刃先１２ａが全て傷んだり磨耗するまで、使用する直線状刃先１２ａを変更でき、新しい氷雪割り刃１２と頻繁に交換する必要が無く、使用者の経済的負担を増大させない。
【考案を実施するための最良の形態】
【００１７】
本考案の氷雪割り具の氷雪割り刃は、図５に示すような、尖った一本の円錐形状の針状刃先２２による氷雪割り具２０の交換用の刃として提供されるのが望ましく、針状刃先２２による氷雪割り具２０で大半の氷雪２を割り砕いた後、残った氷雪２を直線状刃先１２ａによる氷雪割り具１０で取り除くことにより、非力な人でも安全に能率よく作業ができる。
【実施例１】
【００１８】
以下、本考案の一実施例につき図面を参照して説明する。
【００１９】
図１に示すのは、路面１に強固に粘着した氷雪２の、路面１と氷雪２の間に氷雪割り刃１２をほぼ水平に挿入する状態の氷雪割り具１０である。
【００２０】
氷雪割り具１０には、両端部が互いに反対方向に約４５度の角度で曲がった管状の保持柄１１を設け、保持柄１１は薄肉の鋼管で全長が約１４０cmの長さの両端から１４〜２０cmの位置で曲げて形成される。
【００２１】
保持柄１１の上方となる端部には握り１３がはめ込まれ、下方となるもう一端に氷雪割り刃１２が取り付けられる。
【００２２】
氷雪割り刃１２が取り付けられる保持柄１１の一端に挿入され、着脱可能に固定される刃先固定板１４を設ける。刃先固定板１４は、略円筒棒状部と矩形板状部で構成され、刃先固定板１４の略円筒棒状部が保持柄１１に挿入され、矩形板状部に氷雪割り刃１２が２本のボルト１５で着脱可能に固定される。
【００２３】
氷雪割り刃１２は刃先固定板１４の矩形板状部よりやや大きな正四角形の板状で、一辺の長さが約６．５cmで厚さが約０．６cmであり、その四辺に直線状刃先１２ａを設ける。直線状刃先１２ａは氷雪割り刃１２の上面のみを斜めに削り落として尖った刃先を４枚付けたもので、その４枚の直線状刃先１２ａの内側に４個の雌ネジの取付孔１２ｂを設ける。
【００２４】
刃先固定板１４に氷雪割り刃１２は対向する２個の取付孔１２ｂに２本のボルト１５を通して取り付け、９０度の角度毎に回転させて取り付けることにより、４枚の直線状刃先１２ａのうち使用する直線状刃先１２ａを選択して変更可能とした。
【００２５】
以上の実施例では、正四角形の氷雪割り刃１２に４枚の直線状刃先１２ａを設けた例を示したが、正三角形や正五角形の氷雪割り刃１２とし、直線状刃先１２ａを３枚や５枚としても良い。
【００２６】
また、正四角形の氷雪割り刃１２に４枚の同じ幅の直線状刃先１２ａを設けた例を示したが、氷雪割り刃１２を長方形として広狭の直線状刃先１２ａとし、柔らかい雪や硬い氷に対応できるようにしても良い。
【００２７】
また、刃先固定板１４を保持柄１１に着脱可能に固定される例を示したが、刃先固定板１４を保持柄１１に溶着などにより着脱不能に固定しても良い。
【図面の簡単な説明】
【００２８】
【図１】氷雪割り具の氷雪割り刃の一実施例に係る側面図である。
【図２】図１の要部を示す部分拡大図である。
【図３】図２のＡ矢視図である。
【図４】図３の氷雪割り刃のみを示す図である。
【図５】従来の氷雪割り具の部分側面図である。
【符号の説明】
【００２９】
１０  氷雪割り具
１１  保持柄
１２  氷雪割り刃
１２ａ  直線状刃先
１４  刃先固定板
【図１】
0003103154.tif 000003
【図２】
0003103154.tif 000004
【図３】
0003103154.tif 000005
【図４】
0003103154.tif 000006
【図５】
0003103154.tif 000007